(57)【要約】【課題】レンタルシステムおよび貸し出されるモバイルバッテリに対してレンタルシステムのユーザが有する信頼感を向上させることができるレンタルシステムおよびレンタル方法を提供する。【解決手段】モバイルバッテリには、その充放電状態を検出し、充放電状態情報として記憶する充放電状態検出部と、その物理状態を検出し、物理状態情報として記憶する物理状態検出部とが備えられ、レンタルシステムは、モバイルバッテリの貸し出しを行う貸し出し機を備え、貸し出し機は、貸し出されるモバイルバッテリに対する充電を行う充電部と、充放電状態検出部に記憶されている充放電状態情報を取得する充放電状態情報取得部と、物理状態検出部に記憶されている物理状態情報を取得する物理状態情報取得部とを備える。【選択図】図１
2019128874.tif 000002
【特許請求の範囲】
【請求項１】
モバイルバッテリの貸し出しを行う貸し出し機を備えるレンタルシステムであって、
前記モバイルバッテリには、前記モバイルバッテリの充放電状態を検出し、充放電状態情報として記憶する充放電状態検出部と、前記モバイルバッテリの物理状態を検出し、物理状態情報として記憶する物理状態検出部とが備えられ、
前記貸し出し機は、
貸し出される前記モバイルバッテリに対する充電を行う充電部と、
前記充放電状態検出部に記憶されている前記充放電状態情報を取得する充放電状態情報取得部と、
前記物理状態検出部に記憶されている前記物理状態情報を取得する物理状態情報取得部とを備える、
レンタルシステム。
【請求項２】
前記貸し出し機は、
前記物理状態情報取得部が取得した前記物理状態情報に基づいて、前記レンタルシステムのユーザによる前記モバイルバッテリの利用状況の良否を判定する利用状況良否判定部と、
前記レンタルシステムのユーザによる前記モバイルバッテリの利用状況の良否に応じた割引料を算出する割引料算出部とを更に備える、
請求項１に記載のレンタルシステム。
【請求項３】
前記貸し出し機は、
貸し出される前記モバイルバッテリに対する殺菌処理を行う殺菌処理部を更に備える、
請求項１に記載のレンタルシステム。
【請求項４】
前記殺菌処理部は、前記レンタルシステムのユーザの要求に応じて前記殺菌処理を行い、
前記殺菌処理部が前記殺菌処理を行う場合に、前記貸し出し機は、前記レンタルシステムのユーザに対して前記殺菌処理部の使用料を要求し、
前記貸し出し機は、
前記レンタルシステムのユーザによる前記殺菌処理部の使用回数に応じた割引料を算出する割引料算出部を更に備える、
請求項３に記載のレンタルシステム。
【請求項５】
前記貸し出し機は、
前記殺菌処理部が前記モバイルバッテリに対する殺菌処理を行う状況を前記レンタルシステムのユーザに提示する殺菌処理状況提示部を更に備える、
請求項３または請求項４に記載のレンタルシステム。
【請求項６】
前記モバイルバッテリの返却を受け付ける他の貸し出し機とサーバ装置とを更に備え、
前記貸し出し機は、前記モバイルバッテリの返却を受け付け、
前記貸し出し機は、
前記モバイルバッテリの返却場所に応じた割引料を算出する割引料算出部と、
前記モバイルバッテリの貸し出し場所の情報を生成する貸し出し情報生成部と、
前記モバイルバッテリの返却場所の情報を生成する返却情報生成部とを備え、
前記他の貸し出し機は、
前記モバイルバッテリの返却場所に応じた割引料を算出する他の割引料算出部と、
前記モバイルバッテリの返却場所の情報を生成する他の返却情報生成部とを備え、
前記サーバ装置は、
前記貸し出し情報生成部が生成した前記モバイルバッテリの貸し出し場所の情報を管理する貸し出し情報管理部と、
前記返却情報生成部または前記他の返却情報生成部が生成した前記モバイルバッテリの返却場所の情報を管理する返却情報管理部とを備え、
前記モバイルバッテリが前記貸し出し機によって貸し出され、前記貸し出し機に返却される場合に、前記割引料算出部が算出する割引料は、
前記モバイルバッテリが前記貸し出し機によって貸し出され、前記他の貸し出し機に返却される場合に、前記他の割引料算出部が算出する割引料とは異なる、
請求項１に記載のレンタルシステム。
【請求項７】
貸し出し機によってモバイルバッテリの貸し出しを行うレンタル方法であって、
前記モバイルバッテリには、前記モバイルバッテリの充放電状態を検出し、充放電状態情報として記憶する充放電状態検出部と、前記モバイルバッテリの物理状態を検出し、物理状態情報として記憶する物理状態検出部とが備えられ、
前記貸し出し機が、貸し出される前記モバイルバッテリに対する充電を行う充電ステップと、
前記貸し出し機が、前記充放電状態検出部に記憶されている前記充放電状態情報を取得する充放電状態情報取得ステップと、
前記貸し出し機が、前記物理状態検出部に記憶されている前記物理状態情報を取得する物理状態情報取得ステップとを備える、
レンタル方法。
【発明の詳細な説明】
【技術分野】
【０００１】
本発明の実施形態は、レンタルシステムおよびレンタル方法に関する。
【背景技術】
【０００２】
外出先におけるモバイル端末に対する充電手法として、様々な手法が知られている。一手法では、カフェなどでの充電スポット（フリーのコンセント）において、モバイル端末に対する充電が行われる。ところが、この手法では、モバイル端末のユーザは、モバイル端末に対する充電が完了するまで、充電スポットに居続ける必要がある。
他の手法では、モバイル端末のユーザがモバイルバッテリを新規に購入し、そのモバイルバッテリによって、モバイル端末に対する充電が行われる。モバイル端末のユーザがモバイルバッテリを携帯する手法では、モバイル端末のユーザは、モバイル端末の電池切れに備えて、チャージされた状態のモバイルバッテリを常に携帯する必要がある。
【０００３】
他の手法では、ｆｕｅｌｒｏｄ（例えば〈URL:https://www.fuel-rod.com/〉参照。）を用いることによって、モバイル端末に対する充電が行われる。ｆｕｅｌｒｏｄは、一般的なモバイルバッテリと同様に構成されており、自動販売機において販売される。ｆｕｅｌｒｏｄを購入したモバイル端末のユーザは、充電能力が無くなったｆｕｅｌｒｏｄを自動販売機に戻すことによって、充電能力を有する他のｆｕｅｌｒｏｄ（つまり、チャージされた他のｆｕｅｌｒｏｄ）を入手することができる。
また、他の手法では、ＮＲＧ  ＧＯ（例えば〈URL:https://www.nrggo.com/〉参照。）あるいはＵ４Ｂ（例えば〈URL:https://www.u4b.jp/〉参照。）を用いることによって、モバイル端末に対する充電が行われる。ＮＲＧ  ＧＯは、チャージされたモバイルバッテリの自動貸し出し機である。Ｕ４Ｂは、飲食店や美容院、公共の空港など店舗側が導入するモバイルバッテリの貸出サービスである。モバイル端末のユーザは、貸し出されたモバイルバッテリを用いることによって、モバイル端末の充電を行うことができる。
【０００４】
ところで、これらの手法では、モバイル端末のユーザが入手する以前のｆｕｅｌｒｏｄの充放電状態（例えばｆｕｅｌｒｏｄの充放電履歴、ｆｕｅｌｒｏｄの使用期間など）、あるいは、モバイル端末のユーザに貸し出される以前のモバイルバッテリの充放電状態（例えばモバイルバッテリの充放電履歴、使用期間など）が、モバイル端末のユーザに提示されない。そのため、モバイル端末のユーザは、入手するｆｕｅｌｒｏｄ、あるいは、貸し出されるモバイルバッテリがどの程度劣化しているかを把握することができない。
また、これらの手法では、モバイル端末のユーザが入手する以前のｆｕｅｌｒｏｄ、あるいは、モバイル端末のユーザに貸し出される以前のモバイルバッテリの物理状態（例えば落下、浸水などの衝撃を受けたか否かなど）が、モバイル端末のユーザに提示されない。そのため、モバイル端末のユーザは、入手するｆｕｅｌｒｏｄ、あるいは、貸し出されるモバイルバッテリが、過去に劣悪な使用環境を経たか否かを把握することができない。
そのため、これらの手法では、入手するｆｕｅｌｒｏｄ、あるいは、貸し出されるモバイルバッテリに対してモバイル端末のユーザが有する信頼感を十分に向上させることができない。
【０００５】
また、従来、ユーザがモバイルバッテリを充電する必要がないようにするモバイルバッテリ交換サービスシステムが知られている（例えば特許文献１参照）。特許文献１に記載されたモバイルバッテリ交換サービスシステムは、モバイルバッテリ交換サービスの利用者であることを示す利用者ＩＤを含む認証情報を記録した認証情報記録部と、認証情報を用いたユーザ認証が成功した場合、モバイル端末への放電開始を決定する認証部を備える。
ところで、特許文献１に記載されたモバイルバッテリ交換サービスシステムでは、モバイル端末のユーザがモバイルバッテリの利用履歴を収集することができるものの、モバイル端末のユーザが入手する以前のモバイルバッテリの物理状態（例えばモバイルバッテリが落下、浸水などの衝撃を受けたか否かなど）が、モバイル端末のユーザに提示されない。そのため、モバイル端末のユーザは、モバイルバッテリが過去に劣悪な使用環境を経たか否かを把握することができない。
そのため、この手法では、貸し出される（貸与される）モバイルバッテリに対してモバイル端末のユーザが有する信頼感を十分に向上させることができない。
【先行技術文献】
【特許文献】
【０００６】
【特許文献１】特開２０１７−１２０４７５号公報
【発明の概要】
【発明が解決しようとする課題】
【０００７】
上述した問題点に鑑み、本発明は、レンタルシステムおよび貸し出されるモバイルバッテリに対してレンタルシステムのユーザが有する信頼感を向上させることができるレンタルシステムおよびレンタル方法を提供することを目的とする。
【課題を解決するための手段】
【０００８】
本発明の一態様は、モバイルバッテリの貸し出しを行う貸し出し機を備えるレンタルシステムであって、前記モバイルバッテリには、前記モバイルバッテリの充放電状態を検出し、充放電状態情報として記憶する充放電状態検出部と、前記モバイルバッテリの物理状態を検出し、物理状態情報として記憶する物理状態検出部とが備えられ、前記貸し出し機は、貸し出される前記モバイルバッテリに対する充電を行う充電部と、前記充放電状態検出部に記憶されている前記充放電状態情報を取得する充放電状態情報取得部と、前記物理状態検出部に記憶されている前記物理状態情報を取得する物理状態情報取得部とを備える、レンタルシステムである。
【０００９】
本発明の一態様のレンタルシステムでは、前記貸し出し機は、前記物理状態情報取得部が取得した前記物理状態情報に基づいて、前記レンタルシステムのユーザによる前記モバイルバッテリの利用状況の良否を判定する利用状況良否判定部と、前記レンタルシステムのユーザによる前記モバイルバッテリの利用状況の良否に応じた割引料を算出する割引料算出部とを更に備えてもよい。
【００１０】
本発明の一態様のレンタルシステムでは、前記貸し出し機は、貸し出される前記モバイルバッテリに対する殺菌処理を行う殺菌処理部を更に備えてもよい。
【００１１】
本発明の一態様のレンタルシステムでは、前記殺菌処理部は、前記レンタルシステムのユーザの要求に応じて前記殺菌処理を行い、前記殺菌処理部が前記殺菌処理を行う場合に、前記貸し出し機は、前記レンタルシステムのユーザに対して前記殺菌処理部の使用料を要求し、前記貸し出し機は、前記レンタルシステムのユーザによる前記殺菌処理部の使用回数に応じた割引料を算出する割引料算出部を更に備えてもよい。
【００１２】
本発明の一態様のレンタルシステムでは、前記貸し出し機は、前記殺菌処理部が前記モバイルバッテリに対する殺菌処理を行う状況を前記レンタルシステムのユーザに提示する殺菌処理状況提示部を更に備えてもよい。
【００１３】
本発明の一態様のレンタルシステムは、前記モバイルバッテリの返却を受け付ける他の貸し出し機とサーバ装置とを更に備え、前記貸し出し機は、前記モバイルバッテリの返却を受け付け、前記貸し出し機は、前記モバイルバッテリの返却場所に応じた割引料を算出する割引料算出部と、前記モバイルバッテリの貸し出し場所の情報を生成する貸し出し情報生成部と、前記モバイルバッテリの返却場所の情報を生成する返却情報生成部とを備え、前記他の貸し出し機は、前記モバイルバッテリの返却場所に応じた割引料を算出する他の割引料算出部と、前記モバイルバッテリの返却場所の情報を生成する他の返却情報生成部とを備え、前記サーバ装置は、前記貸し出し情報生成部が生成した前記モバイルバッテリの貸し出し場所の情報を管理する貸し出し情報管理部と、前記返却情報生成部または前記他の返却情報生成部が生成した前記モバイルバッテリの返却場所の情報を管理する返却情報管理部とを備え、前記モバイルバッテリが前記貸し出し機によって貸し出され、前記貸し出し機に返却される場合に、前記割引料算出部が算出する割引料は、前記モバイルバッテリが前記貸し出し機によって貸し出され、前記他の貸し出し機に返却される場合に、前記他の割引料算出部が算出する割引料とは異なってもよい。
【００１４】
本発明の一態様は、貸し出し機によってモバイルバッテリの貸し出しを行うレンタル方法であって、前記モバイルバッテリには、前記モバイルバッテリの充放電状態を検出し、充放電状態情報として記憶する充放電状態検出部と、前記モバイルバッテリの物理状態を検出し、物理状態情報として記憶する物理状態検出部とが備えられ、前記貸し出し機が、貸し出される前記モバイルバッテリに対する充電を行う充電ステップと、前記貸し出し機が、前記充放電状態検出部に記憶されている前記充放電状態情報を取得する充放電状態情報取得ステップと、前記貸し出し機が、前記物理状態検出部に記憶されている前記物理状態情報を取得する物理状態情報取得ステップとを備える、レンタル方法である。
【発明の効果】
【００１５】
本発明によれば、レンタルシステムおよび貸し出されるモバイルバッテリに対してレンタルシステムのユーザが有する信頼感を向上させることができるレンタルシステムおよびレンタル方法を提供することができる。
【図面の簡単な説明】
【００１６】
【図１】第１実施形態のレンタルシステムの概要の一例を示す図である。
【図２】充放電状態情報がモバイル端末の充放電状態情報提供部によってレンタルシステムのユーザに提供される一例を説明するための図である。
【図３】第１実施形態のレンタルシステムにおいて実行される処理の一例を示すフローチャートである。
【図４】貸し出し機から貸し出されたモバイルバッテリがその貸し出し機に返却される時における第２実施形態のレンタルシステムを示す図である。
【図５】モバイルバッテリが貸し出し機から貸し出され、その貸し出し機に返却される場合に第２実施形態のレンタルシステムにおいて実行される処理の一例を示すフローチャートである。
【図６】貸し出し機から貸し出されたモバイルバッテリが他の貸し出し機に返却される時における第２実施形態のレンタルシステムを示す図である。
【図７】モバイルバッテリが貸し出し機から貸し出され、他の貸し出し機に返却される場合に第２実施形態のレンタルシステムにおいて実行される処理の一例を示すフローチャートである。
【発明を実施するための形態】
【００１７】
以下、本発明のレンタルシステムおよびレンタル方法の実施形態について、添付図面を参照して説明する。
【００１８】
＜第１実施形態＞
図１は第１実施形態のレンタルシステム１の概要の一例を示す図である。詳細には、図１はレンタルシステム１のユーザに対するモバイルバッテリＭＢの貸し出し時におけるレンタルシステム１を示す図である。
図１に示す例では、レンタルシステム１が、貸し出し機１１を備えている。貸し出し機１１は、レンタルシステム１のユーザに対してモバイルバッテリＭＢの貸し出しを行う。
図１には、ケーブル１３を介して貸し出し機１１に接続されたモバイルバッテリＭＢのみが示されているが、レンタルシステム１のユーザによる貸し出し機１１の利用時には（つまり、実際には）、モバイルバッテリＭＢの他に、複数のモバイルバッテリ（図示せず）がケーブル（図示せず）を介して貸し出し機１１に接続されている。レンタルシステム１のユーザは、複数のモバイルバッテリＭＢ、…のうちから希望のモバイルバッテリを選んで借りることができる。
【００１９】
図１に示す例では、モバイルバッテリＭＢが、例えば充放電状態検出部ＭＢ１と、充放電状態情報提供部ＭＢ２と、物理状態検出部ＭＢ３と、物理状態情報提供部ＭＢ４とを備えている。
充放電状態検出部ＭＢ１は、モバイルバッテリＭＢの充放電状態を検出し、充放電状態情報として記憶する。モバイルバッテリＭＢの充放電状態には、例えばモバイルバッテリＭＢへの充電の履歴、モバイルバッテリＭＢからモバイル端末などへの放電の履歴、モバイルバッテリＭＢの使用期間などが含まれる。充放電状態検出部ＭＢ１には、例えば、モバイルバッテリＭＢへの充電電流、モバイルバッテリＭＢからの放電電流などを計測する計測センサ（図示せず）、計測センサによって計測された値を記憶する記憶部などが含まれる。つまり、モバイルバッテリＭＢの充放電状態情報は、モバイルバッテリＭＢの過去の利用状況を示す情報である。
充放電状態情報提供部ＭＢ２は、充放電状態検出部ＭＢ１によって記憶されている充放電状態情報を、レンタルシステム１のユーザに対して提供する。充放電状態情報提供部ＭＢ２は、例えば充電容量［ｍＡｈ］、通算充放電回数、充電スピード（出力電流値［Ａ］）、フル充電までの所要時間、モバイルバッテリＭＢによる充電後のモバイル端末の使用可能時間などの数値を用いることによって、充放電状態情報をレンタルシステム１のユーザに提供する。充放電状態情報提供部ＭＢ２には、例えば、充放電状態情報を表示する表示部などが含まれる。レンタルシステム１のユーザは、充放電状態情報提供部ＭＢ２が提供する充放電状態情報に基づいて、モバイルバッテリＭＢの充放電機能がどの程度劣化しているかを把握することができる。
図１に示す例では、充放電状態情報提供部ＭＢ２がモバイルバッテリＭＢに備えられ、充放電状態情報が充放電状態情報提供部ＭＢ２によってレンタルシステム１のユーザに提供される。
【００２０】
図２は充放電状態情報がモバイル端末ＭＴの充放電状態情報提供部ＭＴ１によってレンタルシステム１のユーザに提供される一例を説明するための図である。詳細には、図２はモバイルバッテリＭＢがモバイル端末ＭＴを充電している状態を示す図である。
図２に示す例では、例えばスマートフォンなどのようなモバイル端末ＭＴが、ケーブルＣＢを介してモバイルバッテリＭＢに接続されている。モバイル端末ＭＴは、充放電状態情報提供部ＭＴ１を備えている。モバイル端末ＭＴは、充放電状態検出部ＭＢ１によって記憶されている充放電状態情報を、ケーブルＣＢを介して取得する。モバイル端末ＭＴの充放電状態情報提供部ＭＴ１は、モバイル端末ＭＴが取得した充放電状態情報を、レンタルシステム１のユーザに対して提供する。充放電状態情報提供部ＭＴ１には、例えば、充放電状態情報を表示する表示部（例えばスマートフォンのタッチパネル）などが含まれる。レンタルシステム１のユーザは、充放電状態情報提供部ＭＴ１が提供する充放電状態情報に基づいて、モバイルバッテリＭＢの充放電機能がどの程度劣化しているかを把握することができる。
つまり、図２に示す例では、充放電状態情報提供部ＭＴ１がモバイル端末ＭＴに備えられ、充放電状態情報が充放電状態情報提供部ＭＴ１によってレンタルシステム１のユーザに提供される。
【００２１】
図１に示す例では、物理状態検出部ＭＢ３が、モバイルバッテリＭＢの物理状態を検出し、物理状態情報として記憶する。モバイルバッテリＭＢの物理状態には、例えばモバイルバッテリＭＢの落下等に伴ってモバイルバッテリＭＢが受けた衝撃、モバイルバッテリＭＢが浸水しているか否かなどが含まれる。物理状態検出部ＭＢ３には、例えば、モバイルバッテリＭＢが受ける衝撃を検出する加速度センサ、モバイルバッテリＭＢが浸水しているか否かを検出する静電センサ等の物理センサ、それらの物理センサによって検出された値を記憶する記憶部などが含まれる。つまり、モバイルバッテリＭＢの物理状態情報は、モバイルバッテリＭＢの過去の扱われ方を示す情報である。
物理状態情報提供部ＭＢ４は、物理状態検出部ＭＢ３によって記憶されている物理状態情報を、レンタルシステム１のユーザに対して提供する。物理状態情報提供部ＭＢ４には、例えば、物理状態情報を表示する表示部などが含まれる。レンタルシステム１のユーザは、物理状態情報に基づいて、モバイルバッテリＭＢが過去に劣悪な使用環境を経たか否かを把握することができる。
図１に示す例では、物理状態情報提供部ＭＢ４がモバイルバッテリＭＢに備えられ、物理状態情報が物理状態情報提供部ＭＢ４によってレンタルシステム１のユーザに提供される。
【００２２】
図２に示す例では、モバイル端末ＭＴが物理状態情報提供部ＭＴ２を更に備えている。
モバイル端末ＭＴは、物理状態検出部ＭＢ３によって記憶されている物理状態情報を、ケーブルＣＢを介して取得する。モバイル端末ＭＴの物理状態情報提供部ＭＴ２は、モバイル端末ＭＴが取得した物理状態情報を、レンタルシステム１のユーザに対して提供する。物理状態情報提供部ＭＴ２には、例えば、物理状態情報を表示する表示部（例えばスマートフォンのタッチパネル）などが含まれる。レンタルシステム１のユーザは、物理状態情報提供部ＭＴ２が提供する物理状態情報に基づいて、モバイルバッテリＭＢが過去に劣悪な使用環境を経たか否かを把握することができる。
つまり、図２に示す例では、物理状態情報提供部ＭＴ２がモバイル端末ＭＴに備えられ、物理状態情報が物理状態情報提供部ＭＴ２によってレンタルシステム１のユーザに提供される。
【００２３】
図１に示す例では、貸し出し機１１が、例えば充電部１１Ａと、充放電状態情報取得部１１Ｂと、充放電状態情報提供部１１Ｃと、物理状態情報取得部１１Ｄと、物理状態情報提供部１１Ｅと、殺菌処理部１１Ｆと、殺菌処理状況提示部１１Ｇと、利用状況良否判定部１１Ｈと、割引料算出部１１Ｉとを備えている。
充電部１１Ａは、貸し出されるモバイルバッテリＭＢに対する充電を行う。充放電状態情報取得部１１Ｂは、モバイルバッテリＭＢの充放電状態検出部ＭＢ１に記憶されている充放電状態情報を、ケーブル１３を介して取得する。充放電状態情報提供部１１Ｃは、充放電状態情報取得部１１Ｂが取得した充放電状態情報を、レンタルシステム１のユーザに提供する。充放電状態情報提供部１１Ｃには、例えば、充放電状態情報を表示する表示部などが含まれる。
つまり、図１および図２に示す例では、レンタルシステム１のユーザが、モバイルバッテリＭＢの充放電状態情報を、貸し出し機１１の充放電状態情報提供部１１Ｃから得ることも、モバイルバッテリＭＢの充放電状態情報提供部ＭＢ２から得ることも、モバイル端末ＭＴの充放電状態情報提供部ＭＴ１から得ることもできる。他の例では、貸し出し機１１が充放電状態情報提供部１１Ｃを備えていなくてもよい。
【００２４】
図１に示す例では、物理状態情報取得部１１Ｄが、モバイルバッテリＭＢの物理状態検出部ＭＢ３に記憶されている物理状態情報を、ケーブル１３を介して取得する。物理状態情報取得部１１Ｄは、物理状態情報（モバイルバッテリＭＢの過去の扱われ方を示す情報）として、モバイルバッテリＭＢの過去の貸し出し時にユーザが用いたクレジットカードの情報を取得してもよい。物理状態情報取得部１１Ｄは、物理状態情報（モバイルバッテリＭＢの過去の扱われ方を示す情報）として、モバイルバッテリＭＢの過去の利用者の情報（例えば安心できる利用者であるか否かの情報）を取得してもよい。
物理状態情報提供部１１Ｅは、物理状態情報取得部１１Ｄが取得した物理状態情報を、レンタルシステム１のユーザに提供する。物理状態情報提供部１１Ｅには、例えば、物理状態情報を表示する表示部などが含まれる。
つまり、図１および図２に示す例では、レンタルシステム１のユーザが、モバイルバッテリＭＢの物理状態情報を、貸し出し機１１の物理状態情報提供部１１Ｅから得ることも、モバイルバッテリＭＢの物理状態情報提供部ＭＢ４から得ることも、モバイル端末ＭＴの物理状態情報提供部ＭＴ２から得ることもできる。他の例では、貸し出し機１１が物理状態情報提供部１１Ｅを備えていなくてもよい。
【００２５】
図１に示す例では、殺菌処理部１１Ｆは、貸し出し機１１から貸し出されるモバイルバッテリＭＢに対する殺菌処理を行う。殺菌処理部１１Ｆは、例えば紫外線をモバイルバッテリＭＢに照射することによって、モバイルバッテリＭＢに対する殺菌処理を行う。殺菌処理状況提示部１１Ｇは、殺菌処理部１１ＦがモバイルバッテリＭＢに対する殺菌処理を行う状況をレンタルシステム１のユーザに提示する。殺菌処理部１１Ｆおよび殺菌処理状況提示部１１Ｇは、例えば公知の前面ガラス扉付きの紫外線殺菌装置と同様に構成されている。レンタルシステム１のユーザは、モバイルバッテリＭＢに対して殺菌処理が行われている状況を、前面ガラス扉を介して視認することができる。
図１に示す例では、貸し出し機１１が殺菌処理部１１Ｆを備えているが、他の例では、貸し出し機１１が殺菌処理部１１Ｆを備えていなくてもよい。
図１に示す例では、殺菌処理部１１Ｆが、例えば紫外線殺菌処理を行うが、他の例では、殺菌処理部１１Ｆが、レンタルシステム１のユーザに対してクリーニングキット（図示せず）を貸与してもよい。更に他の例では、殺菌処理部１１Ｆが、貸し出されるモバイルバッテリＭＢの外側表面に取り付けられる交換型のシートまたはフィルムを貸与してもよい。
【００２６】
利用状況良否判定部１１Ｈは、物理状態情報取得部１１Ｄが取得した物理状態情報に基づいて、レンタルシステム１のユーザによるモバイルバッテリＭＢの利用状況の良否を判定する。
詳細には、レンタルシステム１のユーザによって利用されたモバイルバッテリＭＢは、返却時に、図１に示すように、ケーブル１３を介して貸し出し機１１に接続される。モバイルバッテリＭＢの利用中に物理状態検出部ＭＢ３に記憶されたモバイルバッテリＭＢの物理状態情報は、ケーブル１３を介して貸し出し機１１の物理状態情報取得部１１Ｄに取得される。利用状況良否判定部１１Ｈは、その物理状態情報に基づいて、そのユーザによるモバイルバッテリＭＢの利用状況の良否を判定する。
図１に示す例では、貸し出し機１１が利用状況良否判定部１１Ｈを備えているが、他の例では、貸し出し機１１が利用状況良否判定部１１Ｈを備えていなくてもよい。
【００２７】
割引料算出部１１Ｉは、レンタルシステム１のユーザによるモバイルバッテリＭＢの利用状況の良否に応じた割引料を算出する。
例えば、割引料算出部１１Ｉは、レンタルシステム１のユーザによるモバイルバッテリＭＢの利用中にモバイルバッテリＭＢが受けた衝撃が小さいほど、そのユーザに対する大きい割引料を算出する。また、割引料算出部１１Ｉは、レンタルシステム１のユーザによるモバイルバッテリＭＢの利用中にモバイルバッテリＭＢが浸水しなかった場合に、モバイルバッテリＭＢが浸水した場合よりも大きい割引料を算出する。レンタルシステム１のユーザによるモバイルバッテリＭＢの利用中にモバイルバッテリＭＢが落下または浸水した場合に、割引料算出部１１Ｉが追加料金を算出してもよい。
上述した殺菌処理部１１Ｆは、レンタルシステム１のユーザの要求に応じてモバイルバッテリＭＢの殺菌処理を行う。つまり、レンタルシステム１のユーザは、モバイルバッテリＭＢの殺菌処理を行わない選択肢も有する。殺菌処理部１１ＦがモバイルバッテリＭＢの殺菌処理を行う場合に、貸し出し機１１は、レンタルシステム１のユーザに対して殺菌処理部１１Ｆの使用料を要求する。一方、割引料算出部１１Ｉは、レンタルシステム１のユーザによる殺菌処理部１１Ｆの使用回数に応じた割引料を算出する。例えば、割引料算出部１１Ｉは、レンタルシステム１のユーザによる殺菌処理部１１Ｆの使用回数が多いほど、そのユーザに対する大きい割引料を算出する。
割引料算出部１１Ｉは、モバイルバッテリＭＢの貸出期間の長さに応じて、モバイルバッテリＭＢの使用料金や割引料を異ならせてもよい。例えば、割引料算出部１１Ｉは、モバイルバッテリＭＢの基本的な貸出期間を「当日返却」に設定し、６時間以内に返却した場合の割引料を、１２時間以内に返却した場合の割引料より大きくしてもよい。また、割引料算出部１１Ｉは、モバイルバッテリＭＢを当日返却できなかった場合に、追加料金を課金してもよい。また、割引料算出部１１Ｉは、モバイルバッテリＭＢの返却の目途が立たないユーザに対して、買取請求を行ってもよい。また、割引料算出部１１Ｉは、買取請求を行ったユーザがモバイルバッテリＭＢを返却した場合に、買取金額の半額を返金してもよい。
【００２８】
図３は第１実施形態のレンタルシステム１において実行される処理の一例を示すフローチャートである。
図３に示す例では、ステップＳ１０において、貸し出し機１１の充電部１１Ａが、例えばモバイルバッテリＭＢの貸し出し前に、ケーブル１３を介して、そのモバイルバッテリＭＢに対する充電を行う。
ステップＳ１１では、貸し出し機１１の充放電状態情報取得部１１Ｂが、そのモバイルバッテリＭＢの充放電状態検出部ＭＢ１に記憶されている充放電状態情報（そのモバイルバッテリＭＢの過去の利用状況を示す情報）を、ケーブル１３を介して取得する。
次いで、ステップＳ１２において、例えば貸し出し機１１の充放電状態情報提供部１１Ｃは、充放電状態情報取得部１１Ｂが取得した充放電状態情報を、レンタルシステム１のユーザに提供する。
ステップＳ１３では、貸し出し機１１の物理状態情報取得部１１Ｄが、そのモバイルバッテリＭＢの物理状態検出部ＭＢ３に記憶されている物理状態情報（そのモバイルバッテリＭＢの過去の扱われ方を示す情報）を、ケーブル１３を介して取得する。
次いで、ステップＳ１４において、例えば貸し出し機１１の物理状態情報提供部１１Ｅは、物理状態情報取得部１１Ｄが取得した物理状態情報を、レンタルシステム１のユーザに提供する。
ステップＳ１５では、貸し出し機１１の殺菌処理部１１Ｆが、そのモバイルバッテリＭＢに対する殺菌処理を行う。
ステップＳ１６において、貸し出し機１１の殺菌処理状況提示部１１Ｇは、殺菌処理部１１ＦがモバイルバッテリＭＢに対する殺菌処理を行う状況をレンタルシステム１のユーザに提示する。
ステップＳ１７（そのモバイルバッテリＭＢの返却時）において、貸し出し機１１の利用状況良否判定部１１Ｈは、レンタルシステム１のユーザによるそのモバイルバッテリＭＢの利用中に物理状態情報取得部１１Ｄが取得した物理状態情報に基づいて、そのモバイルバッテリＭＢの利用状況の良否を判定する。
次いで、ステップＳ１８において、貸し出し機１１の割引料算出部１１Ｉは、そのユーザによるモバイルバッテリＭＢの利用状況の良否に応じた割引料を算出する。
【００２９】
＜第１実施形態のまとめ＞
第１実施形態のレンタルシステム１では、上述したように、モバイルバッテリＭＢの充放電状態検出部ＭＢ１に記憶されている充放電状態情報（モバイルバッテリＭＢへの充電の履歴、モバイルバッテリＭＢからモバイル端末ＭＴなどへの放電の履歴、モバイルバッテリＭＢの使用期間などの情報）を取得する充放電状態情報取得部１１Ｂが、貸し出し機１１に備えられている。そのため、例えば充放電状態情報提供部１１Ｃ、充放電状態情報提供部ＭＢ２および充放電状態情報提供部ＭＴ１のいずれかが充放電状態情報をレンタルシステム１のユーザに提供することによって、レンタルシステム１のユーザは、貸し出されるモバイルバッテリＭＢの充放電機能がどの程度劣化しているかを把握することができる。その結果、レンタルシステム１のユーザが有するレンタルシステム１に対する信頼感および貸し出されるモバイルバッテリＭＢに対する信頼感を向上させることができる。
また、第１実施形態のレンタルシステム１では、上述したように、モバイルバッテリＭＢの物理状態検出部ＭＢ３に記憶されている物理状態情報（モバイルバッテリＭＢの落下等に伴ってモバイルバッテリＭＢが受けた衝撃、モバイルバッテリＭＢが浸水しているか否かなどの情報）を取得する物理状態情報取得部１１Ｄが、貸し出し機１１に備えられている。そのため、例えば物理状態情報提供部１１Ｅ、物理状態情報提供部ＭＢ４および物理状態情報提供部ＭＴ２のいずれかが物理状態情報をレンタルシステム１のユーザに提供することによって、レンタルシステム１のユーザは、貸し出されるモバイルバッテリＭＢが他のユーザからどのような扱われ方をしてきたかを把握することができる。その結果、レンタルシステム１のユーザが有するレンタルシステム１に対する信頼感および貸し出されるモバイルバッテリＭＢに対する信頼感を向上させることができる。
【００３０】
また、第１実施形態のレンタルシステム１では、上述したように、物理状態情報取得部１１Ｄが取得した物理状態情報に基づいて、レンタルシステム１のユーザによるモバイルバッテリＭＢの利用状況の良否を判定する利用状況良否判定部１１Ｈと、レンタルシステム１のユーザによるモバイルバッテリＭＢの利用状況の良否に応じた割引料を算出する割引料算出部１１Ｉとが、貸し出し機１１に備えられている。そのため、貸し出されるモバイルバッテリＭＢを大切に扱うモチベーションをレンタルシステム１のユーザに持たせることができる。
また、第１実施形態のレンタルシステム１では、上述したように、貸し出されるモバイルバッテリＭＢに対する殺菌処理を行う殺菌処理部１１Ｆが、貸し出し機１１に備えられている。そのため、レンタルシステム１のユーザに対して清潔なモバイルバッテリＭＢを貸し出すことができ、レンタルシステム１のユーザの満足度を向上させることができる。
また、第１実施形態のレンタルシステム１では、上述したように、レンタルシステム１のユーザによる殺菌処理部１１Ｆの使用回数に応じた割引料を算出する割引料算出部１１Ｉが、貸し出し機１１に備えられている。そのため、殺菌処理部１１Ｆを使用するモチベーションをレンタルシステム１のユーザに持たせることができる。
また、第１実施形態のレンタルシステム１では、上述したように、殺菌処理部１１ＦがモバイルバッテリＭＢに対する殺菌処理を行う状況をレンタルシステム１のユーザに提示する殺菌処理状況提示部１１Ｇが、貸し出し機１１に備えられている。そのため、殺菌処理状況提示部１１Ｇが殺菌処理の状況をレンタルシステム１のユーザに提示することによって、ユーザが有するレンタルシステム１に対する信頼感および貸し出されるモバイルバッテリＭＢに対する信頼感を向上させることができる。
【００３１】
＜第２実施形態＞
以下、本発明のレンタルシステムおよびレンタル方法の第２実施形態について、添付図面を参照して説明する。
第２実施形態のレンタルシステム１は、後述する点を除き、上述した第１実施形態のレンタルシステム１と同様に構成されている。従って、第２実施形態のレンタルシステム１によれば、後述する点を除き、上述した第１実施形態のレンタルシステム１と同様の効果を奏することができる。
【００３２】
図４は第２実施形態のレンタルシステム１の概要の一例を示す図である。詳細には、図４は貸し出し機１１から貸し出されたモバイルバッテリＭＢが貸し出し機１１に返却される時における第２実施形態のレンタルシステム１を示す図である。
図４に示す例では、レンタルシステム１が、貸し出し機１１を備えている。
図１に示す例では、上述したように、貸し出し機１１が、充電部１１Ａと、充放電状態情報取得部１１Ｂと、充放電状態情報提供部１１Ｃと、物理状態情報取得部１１Ｄと、物理状態情報提供部１１Ｅと、殺菌処理部１１Ｆと、殺菌処理状況提示部１１Ｇと、利用状況良否判定部１１Ｈと、割引料算出部１１Ｉとを備えている。
一方、図４に示す例では、貸し出し機１１が、充電部１１Ａ、充放電状態情報取得部１１Ｂ、充放電状態情報提供部１１Ｃ、物理状態情報取得部１１Ｄ、物理状態情報提供部１１Ｅ、殺菌処理部１１Ｆ、殺菌処理状況提示部１１Ｇ、利用状況良否判定部１１Ｈおよび割引料算出部１１Ｉの他に、貸し出し情報生成部１１Ｊと、返却情報生成部１１Ｋとを備えている。貸し出し情報生成部１１Ｊは、モバイルバッテリＭＢの貸し出し場所の情報を生成する。返却情報生成部１１Ｋは、モバイルバッテリＭＢの返却場所の情報を生成する。
【００３３】
図４に示す例では、レンタルシステム１が、貸し出し機１１の他に、貸し出し機１１と同様に構成された貸し出し機１１−２、…を備えている。貸し出し機１１−２、…は、貸し出し機１１と同様に、レンタルシステム１のユーザに対してモバイルバッテリＭＢの貸し出しを行う。
貸し出し機１１−２は、充電部１１−２Ａと、充放電状態情報取得部１１−２Ｂと、充放電状態情報提供部１１−２Ｃと、物理状態情報取得部１１−２Ｄと、物理状態情報提供部１１−２Ｅと、殺菌処理部１１−２Ｆと、殺菌処理状況提示部１１−２Ｇと、利用状況良否判定部１１−２Ｈと、割引料算出部１１−２Ｉと、貸し出し情報生成部１１−２Ｊと、返却情報生成部１１−２Ｋとを備えている。
充電部１１−２Ａは、充電部１１Ａと同様に構成されている。充放電状態情報取得部１１−２Ｂは、充放電状態情報取得部１１Ｂと同様に構成されている。充放電状態情報提供部１１−２Ｃは、充放電状態情報提供部１１Ｃと同様に構成されている。物理状態情報取得部１１−２Ｄは、物理状態情報取得部１１Ｄと同様に構成されている。物理状態情報提供部１１−２Ｅは、物理状態情報提供部１１Ｅと同様に構成されている。殺菌処理部１１−２Ｆは、殺菌処理部１１Ｆと同様に構成されている。殺菌処理状況提示部１１−２Ｇは、殺菌処理状況提示部１１Ｇと同様に構成されている。利用状況良否判定部１１−２Ｈは、利用状況良否判定部１１Ｈと同様に構成されている。割引料算出部１１−２Ｉは、割引料算出部１１Ｉと同様に構成されている。貸し出し情報生成部１１−２Ｊは、貸し出し情報生成部１１Ｊと同様に構成されている。返却情報生成部１１−２Ｋは、返却情報生成部１１Ｋと同様に構成されている。
【００３４】
第１実施形態のレンタルシステム１では、モバイルバッテリＭＢが、貸し出し機１１から貸し出され、貸し出し機１１に返却される。
一方、第２実施形態のレンタルシステム１では、モバイルバッテリＭＢが、貸し出し機１１から貸し出されることも、貸し出し機１１−２から貸し出されることもできる。また、モバイルバッテリＭＢは、貸し出し機１１に返却されることも、貸し出し機１１−２に返却されることもできる。
【００３５】
図４に示す例では、レンタルシステム１が、サーバ装置１２を更に備えている。貸し出し機１１、１１−２、…と、サーバ装置１２とは、ネットワークＮＷを介して相互に接続されている。サーバ装置１２は、充放電状態情報管理部１２Ｂと、物理状態情報管理部１２Ｄと、貸し出し情報管理部１２Ｊと、返却情報管理部１２Ｋとを備えている。
充放電状態情報管理部１２Ｂは、充放電状態情報取得部１１Ｂが取得した充放電状態情報と、充放電状態情報取得部１１−２Ｂが取得した充放電状態情報とを、ネットワークＮＷを介して取得して管理する。
物理状態情報管理部１２Ｄは、物理状態情報取得部１１Ｄが取得した物理状態情報と、物理状態情報取得部１１−２Ｄが取得した物理状態情報とを、ネットワークＮＷを介して取得して管理する。
貸し出し情報管理部１２Ｊは、貸し出し情報生成部１１Ｊが生成したモバイルバッテリＭＢの貸し出し場所の情報と、貸し出し情報生成部１１−２Ｊが生成したモバイルバッテリＭＢの貸し出し場所の情報とを、ネットワークＮＷを介して取得して管理する。
返却情報管理部１２Ｋは、返却情報生成部１１Ｋが生成したモバイルバッテリＭＢの返却場所の情報と、返却情報生成部１１−２Ｋが生成したモバイルバッテリＭＢの返却場所の情報とを、ネットワークＮＷを介して取得して管理する。
【００３６】
図４に示す例では、貸し出し機１１の割引料算出部１１Ｉと、貸し出し機１１−２の割引料算出部１１−２Ｉとは、モバイルバッテリＭＢの返却場所に応じた割引料を算出する。例えば、モバイルバッテリＭＢが貸し出し機１１によって貸し出され、貸し出し機１１に返却される場合に、割引料算出部１１Ｉが算出する割引料と、モバイルバッテリＭＢが貸し出し機１１によって貸し出され、貸し出し機１１−２に返却される場合に、割引料算出部１１−２Ｉが算出する割引料とは異なる。
一例では、モバイルバッテリＭＢが貸し出し機１１によって貸し出され、貸し出し機１１に返却される場合に、割引料算出部１１Ｉが算出する割引料は、モバイルバッテリＭＢが貸し出し機１１によって貸し出され、貸し出し機１１−２に返却される場合に、割引料算出部１１−２Ｉが算出する割引料よりも大きい。
他の例では、モバイルバッテリＭＢが貸し出し機１１によって貸し出され、貸し出し機１１に返却される場合、および、モバイルバッテリＭＢが貸し出し機１１によって貸し出され、貸し出し機１１−２に返却される場合のうち、返却後のモバイルバッテリＭＢの輸送コストが低い場合に、割引料算出部１１Ｉが算出する割引料は、返却後のモバイルバッテリＭＢの輸送コストが高い場合に、割引料算出部１１Ｉが算出する割引料よりも大きい。
【００３７】
図５は第２実施形態のレンタルシステム１において実行される処理の一例を示すフローチャートである。詳細には、図５はモバイルバッテリＭＢが貸し出し機１１から貸し出され、貸し出し機１１に返却される場合に第２実施形態のレンタルシステム１において実行される処理の一例を示すフローチャートである。
図５に示す例では、ステップＳ２０において、ステップＳ１０と同様に、貸し出し機１１の充電部１１Ａが、例えばモバイルバッテリＭＢの貸し出し前に、ケーブル１３を介して、そのモバイルバッテリＭＢに対する充電を行う。
ステップＳ２１では、ステップＳ１１と同様に、貸し出し機１１の充放電状態情報取得部１１Ｂが、そのモバイルバッテリＭＢの充放電状態検出部ＭＢ１に記憶されている充放電状態情報（そのモバイルバッテリＭＢの過去の利用状況を示す情報）を、ケーブル１３を介して取得する。
次いで、ステップＳ２２において、ステップＳ１２と同様に、例えば貸し出し機１１の充放電状態情報提供部１１Ｃは、充放電状態情報取得部１１Ｂが取得した充放電状態情報を、レンタルシステム１のユーザに提供する。
ステップＳ２３では、ステップＳ１３と同様に、貸し出し機１１の物理状態情報取得部１１Ｄが、そのモバイルバッテリＭＢの物理状態検出部ＭＢ３に記憶されている物理状態情報（そのモバイルバッテリＭＢの過去の扱われ方を示す情報）を、ケーブル１３を介して取得する。
次いで、ステップＳ２４において、ステップＳ１４と同様に、例えば貸し出し機１１の物理状態情報提供部１１Ｅは、物理状態情報取得部１１Ｄが取得した物理状態情報を、レンタルシステム１のユーザに提供する。
ステップＳ２５では、ステップＳ１５と同様に、貸し出し機１１の殺菌処理部１１Ｆが、そのモバイルバッテリＭＢに対する殺菌処理を行う。
ステップＳ２６において、ステップＳ１６と同様に、貸し出し機１１の殺菌処理状況提示部１１Ｇは、殺菌処理部１１ＦがモバイルバッテリＭＢに対する殺菌処理を行う状況をレンタルシステム１のユーザに提示する。
【００３８】
ステップＳ２９Ａにおいて、貸し出し機１１の貸し出し情報生成部１１Ｊは、モバイルバッテリＭＢの貸し出し場所が貸し出し機１１である旨の情報を生成する。
ステップＳ２７（そのモバイルバッテリＭＢの返却時）において、ステップＳ１７と同様に、貸し出し機１１の利用状況良否判定部１１Ｈは、レンタルシステム１のユーザによるそのモバイルバッテリＭＢの利用中に物理状態情報取得部１１Ｄが取得した物理状態情報に基づいて、そのモバイルバッテリＭＢの利用状況の良否を判定する。
次いで、ステップＳ２８において、ステップＳ１８と同様に、貸し出し機１１の割引料算出部１１Ｉは、そのユーザによるモバイルバッテリＭＢの利用状況の良否に応じた割引料を算出する。
ステップＳ２９Ｂにおいて、貸し出し機１１の返却情報生成部１１Ｋは、モバイルバッテリＭＢの返却場所が、貸し出し場所と同一の貸し出し機１１である旨の情報を生成する。
次いで、ステップＳ２９Ｃにおいて、貸し出し機１１の割引料算出部１１Ｉは、モバイルバッテリＭＢの貸し出し場所と返却場所とが異なる場合の割引料とは異なる割引料を算出する。
次いで、ステップＳ２９Ｄにおいて、貸し出し機１１の割引料算出部１１Ｉは、ステップＳ２７において算出された割引料と、ステップＳ２９Ｃにおいて算出された割引料とを合算する。
【００３９】
第２実施形態のレンタルシステム１では、モバイルバッテリＭＢの貸し出しを行った貸し出し機１１にモバイルバッテリＭＢを返却するモチベーションをレンタルシステム１のユーザに持たせることができる。
【００４０】
図６は貸し出し機１１から貸し出されたモバイルバッテリＭＢが貸し出し機１１−２に返却される時における第２実施形態のレンタルシステム１を示す図である。
図７は第２実施形態のレンタルシステム１において実行される処理の一例を示すフローチャートである。詳細には、図７はモバイルバッテリＭＢが貸し出し機１１から貸し出され、貸し出し機１１−２に返却される場合に第２実施形態のレンタルシステム１において実行される処理の一例を示すフローチャートである。
図７に示す例では、ステップＳ３０において、ステップＳ１０と同様に、貸し出し機１１の充電部１１Ａが、例えばモバイルバッテリＭＢの貸し出し前に、ケーブル１３（図４参照）を介して、そのモバイルバッテリＭＢに対する充電を行う。
ステップＳ３１では、ステップＳ１１と同様に、貸し出し機１１の充放電状態情報取得部１１Ｂが、そのモバイルバッテリＭＢの充放電状態検出部ＭＢ１に記憶されている充放電状態情報（そのモバイルバッテリＭＢの過去の利用状況を示す情報）を、ケーブル１３を介して取得する。
次いで、ステップＳ３２において、ステップＳ１２と同様に、例えば貸し出し機１１の充放電状態情報提供部１１Ｃは、充放電状態情報取得部１１Ｂが取得した充放電状態情報を、レンタルシステム１のユーザに提供する。
ステップＳ３３では、ステップＳ１３と同様に、貸し出し機１１の物理状態情報取得部１１Ｄが、そのモバイルバッテリＭＢの物理状態検出部ＭＢ３に記憶されている物理状態情報（そのモバイルバッテリＭＢの過去の扱われ方を示す情報）を、ケーブル１３を介して取得する。
次いで、ステップＳ３４において、ステップＳ１４と同様に、例えば貸し出し機１１の物理状態情報提供部１１Ｅは、物理状態情報取得部１１Ｄが取得した物理状態情報を、レンタルシステム１のユーザに提供する。
ステップＳ３５では、ステップＳ１５と同様に、貸し出し機１１の殺菌処理部１１Ｆが、そのモバイルバッテリＭＢに対する殺菌処理を行う。
ステップＳ３６において、ステップＳ１６と同様に、貸し出し機１１の殺菌処理状況提示部１１Ｇは、殺菌処理部１１ＦがモバイルバッテリＭＢに対する殺菌処理を行う状況をレンタルシステム１のユーザに提示する。
【００４１】
ステップＳ３９Ａにおいて、ステップＳ２９Ａと同様に、貸し出し機１１の貸し出し情報生成部１１Ｊは、モバイルバッテリＭＢの貸し出し場所が貸し出し機１１である旨の情報を生成する。
ステップＳ３７（そのモバイルバッテリＭＢの返却時）において、貸し出し機１１−２の利用状況良否判定部１１−２Ｈは、レンタルシステム１のユーザによるそのモバイルバッテリＭＢの利用中にモバイルバッテリＭＢの物理状態検出部ＭＢ３によって検出されて記憶されている物理状態情報に基づいて、そのモバイルバッテリＭＢの利用状況の良否を判定する。
次いで、ステップＳ３８において、ステップＳ１８と同様に、貸し出し機１１−２の割引料算出部１１−２Ｉは、そのユーザによるモバイルバッテリＭＢの利用状況の良否に応じた割引料を算出する。
ステップＳ３９Ｂにおいて、貸し出し機１１−２の返却情報生成部１１−２Ｋは、モバイルバッテリＭＢの返却場所が、貸し出し場所とは異なる貸し出し機１１−２である旨の情報を生成する。
次いで、ステップＳ３９Ｃにおいて、貸し出し機１１−２の割引料算出部１１−２Ｉは、モバイルバッテリＭＢの貸し出し場所と返却場所とが同じ場合の割引料とは異なる割引料を算出する。
次いで、ステップＳ３９Ｄにおいて、貸し出し機１１−２の割引料算出部１１−２Ｉは、ステップＳ３７において算出された割引料と、ステップＳ３９Ｃにおいて算出された割引料とを合算する。
【００４２】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態に記載の構成を組み合わせてもよい。
【００４３】
なお、上述した実施形態におけるレンタルシステム１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４４】
１…レンタルシステム、１１…貸し出し機、１１Ａ…充電部、１１Ｂ…充放電状態情報取得部、１１Ｃ…充放電状態情報提供部、１１Ｄ…物理状態情報取得部、１１Ｅ…物理状態情報提供部、１１Ｆ…殺菌処理部、１１Ｇ…殺菌処理状況提示部、１１Ｈ…利用状況良否判定部、１１Ｉ…割引料算出部、１１Ｊ…貸し出し情報生成部、１１Ｋ…返却情報生成部、１３…ケーブル、ＭＢ…モバイルバッテリ、ＭＢ１…充放電状態検出部、ＭＢ２…充放電状態情報提供部、ＭＢ３…物理状態検出部、ＭＢ４…物理状態情報提供部、ＭＴ…モバイル端末、ＭＴ１…充放電状態情報提供部、ＭＴ２…物理状態情報提供部、ＣＢ…ケーブル、１１−２…貸し出し機、１１−２Ａ…充電部、１１−２Ｂ…充放電状態情報取得部、１１−２Ｃ…充放電状態情報提供部、１１−２Ｄ…物理状態情報取得部、１１−２Ｅ…物理状態情報提供部、１１−２Ｆ…殺菌処理部、１１−２Ｇ…殺菌処理状況提示部、１１−２Ｈ…利用状況良否判定部、１１−２Ｉ…割引料算出部、１１−２Ｊ…貸し出し情報生成部、１１−２Ｋ…返却情報生成部、１２…サーバ装置、１２Ｂ…充放電状態情報管理部、１２Ｄ…物理状態情報管理部、１２Ｊ…貸し出し情報管理部、１２Ｋ…返却情報管理部、ＮＷ…ネットワーク
【図１】
2019128874.tif 000003
【図２】
2019128874.tif 000004
【図３】
2019128874.tif 000005
【図４】
2019128874.tif 000006
【図５】
2019128874.tif 000007
【図６】
2019128874.tif 000008
【図７】
2019128874.tif 000009